(57)【要約】【課題】インターホン装置と協働して来訪者の映像信号を記録する留守モードを簡単な操作で設定することができるテレビジョン受像機を提供する。【解決手段】テレビジョン受像機２０１は、操作入力部１１０に入力された操作信号に基づいて、システム制御部１０９を動作状態または待機状態へ移行させる動作管理部１０８を備える。動作管理部１０８は、操作入力部１１０に電源のオフ操作に応じた操作信号が入力されると、留守モードを設定し、システム制御部１０９を待機状態へ移行させる。動作管理部１０８は、留守モード時に、外部入力１１９にインターホン装置２１０からの映像信号が入力されると、この入力された映像信号をフレームメモリ１０７に一時記録した後に、フレームメモリ１０７に一時記録された映像信号をＨＤＤ１１７に移動させるように、ＡＶコーデック１１６及びシステム制御部１０９を一時的に動作させる。【選択図】図２
2009267785.tif 000002
【特許請求の範囲】
【請求項１】
来訪者の映像信号を出力するインターホン装置と接続するための接続手段及び放送番組を受信し、該放送番組を視聴するための視聴手段を備えるテレビジョン受像機であって、
視聴者による電源のオン、オフ操作に応じた操作信号を入力する第１の入力手段と、
前記接続手段を介して前記インターホン装置から出力される映像信号を入力する第２の入力手段と、
映像信号を記憶媒体に記録する記録手段と、
前記視聴手段及び前記記録手段を制御する制御手段と、
前記第１の入力手段に入力された操作信号に基づいて、前記制御手段を動作状態または待機状態へ移行させる動作管理手段と、を備え、
前記動作管理手段は、前記第１の入力手段に前記電源のオフ操作に応じた操作信号が入力されると、留守モードを設定し、前記制御手段を待機状態へ移行させ、
前記留守モード時に、前記第２の入力手段に前記インターホン装置からの映像信号が入力されると、前記入力された前記インターホン装置からの映像信号を前記記憶媒体に記録するように前記記録手段及び前記制御手段を一時的に動作させることを特徴とするテレビジョン受像機。
【請求項２】
前記記憶媒体に記録された前記インターホン装置からの映像信号を読み出し、前記視聴手段に出力する再生手段を備え、
前記動作管理手段は、前記第１の入力手段に前記電源のオン操作に応じた操作信号が入力されると、前記留守モードを解除し、前記制御手段を待機状態から動作状態へ移行させ、
前記制御手段は、動作状態へ移行すると、前記記憶媒体に記録された前記インターホン装置からの映像信号を、前記視聴手段を介して表示させるように、前記再生手段及び前記視聴手段を動作させることを特徴とする請求項１に記載のテレビジョン受像機。
【請求項３】
前記記憶媒体は、第１の記憶手段と、前記第１の記憶手段の記憶容量より大きい記憶容量を有する第２の記憶手段とを含み、
前記動作管理手段は、前記留守モード時に、前記第２の入力手段に前記インターホン装置からの映像信号が入力されると、前記入力された前記インターホン装置からの映像信号を前記第１の記憶手段に一時記録した後に、前記第１の記憶手段に一時記録された映像信号を前記第２の記憶手段に移動させるように、前記記録手段及び前記制御手段を一時的に動作させることを特徴とする請求項１または２に記載のテレビジョン受像機。
【請求項４】
前記制御手段は、前記視聴手段を動作させることなく、前記記録手段の動作を制御するように一時的に動作することを特徴とする請求項１に記載のテレビジョン装置。
【請求項５】
来訪者の映像信号を記録する留守モードを有するインターホン装置と接続するための接続手段及び放送番組を受信し、該放送番組を視聴するための視聴手段を備えるテレビジョン受像機であって、
電源のオン、オフ操作に応じた操作信号を入力する入力手段と、  
前記インターホン装置に前記留守モードにより記録された映像信号を取得する取得手段と、
前記視聴手段を制御する制御手段と、
前記入力手段に入力された操作信号に基づいて、前記制御手段を動作状態または待機状態に移行させる動作管理手段と、を備え、
前記動作管理手段は、前記入力手段に前記電源のオフ操作に応じた操作信号が入力されると、前記制御手段を介して前記インターホン装置に留守モードを設定した後に、前記制御手段を待機状態へ移行させ、
前記入力手段に前記電源のオン操作に応じた操作信号が入力されると、前記制御手段を動作状態にした後に、前記制御手段を介して前記インターホン装置の留守モードの設定を解除し、
前記制御手段は、前記取得手段により前記インターホン装置に記録されている来訪者の映像信号を取得し、前記視聴手段を介して前記取得された映像信号が示す映像を表示するように制御することを特徴とするテレビジョン受像機。
【請求項６】
来訪者の映像信号を出力するインターホン装置と接続するための接続手段と放送番組を受信し、該放送番組を視聴するための視聴手段と、視聴者による電源のオン、オフ操作に応じた操作信号を入力する第１の入力手段と、前記接続手段を介して前記インターホン装置から出力される映像信号を入力する第２の入力手段と、映像信号を記憶媒体に記録する記録手段と、前記視聴手段及び前記記録手段を制御する制御手段とを備えるテレビジョン受像機の制御方法であって、
前記第１の入力手段に前記電源のオフ操作に応じた操作信号が入力されると、留守モードを設定し、前記制御手段を待機状態へ移行させる工程と、
前記留守モード時に、前記第２の入力手段に前記インターホン装置からの映像信号が入力されると、前記入力された前記インターホン装置からの映像信号を前記記憶媒体に記録するように前記記録手段及び前記制御手段を一時的に動作させる工程と
を有することを特徴とするテレビジョン受像機の制御方法。
【請求項７】
来訪者の映像信号を記録する留守モードを有するインターホン装置と接続するための接続手段と、放送番組を受信し、該放送番組を視聴するための視聴手段と、電源のオン、オフ操作に応じた操作信号を入力する入力手段と、前記視聴手段を制御する制御手段とを備えるテレビジョン受像機の制御方法であって、
前記入力手段に前記電源のオフ操作に応じた操作信号が入力されると、前記制御手段を介して前記インターホン装置に留守モードを設定した後に、前記制御手段を待機状態へ移行させる工程と、
前記入力手段に前記電源のオン操作に応じた操作信号が入力されると、前記制御手段を動作状態へ移行させた後に、前記制御手段を介して前記インターホン装置の留守モードの設定を解除する工程と、
前記インターホン装置に記録されている来訪者の映像信号を取得し、前記視聴手段を介して前記取得された映像信号が示す映像を視聴するように制御する工程と
を有することを特徴とするテレビジョン受像機の制御方法。
【発明の詳細な説明】
【技術分野】
【０００１】
本発明は、インターホン装置と接続可能なテレビジョン受像機及びその制御方法に関する。
【背景技術】
【０００２】
従来、玄関に設置されているドアホン子機に設けられているカメラの映像を、屋内に設置されているテレビジョン受像機（以下、テレビという）の画面に表示して来訪者の確認を行う技術が提案されている（特許文献１参照）。この技術においては、来訪者がドアホン子機の呼び出しボタンを押すと、カメラが起動され、当該カメラにより撮影された映像信号がドアホン親機に送られる。ドアホン親機は、上記映像信号をテレビの入力フォーマットに合致する映像信号に変換した後に、テレビに転送する。テレビは、上記映像信号を受信すると、当該映像信号が示す映像を画面に表示する。
【０００３】
また、留守中の来訪者をインターホン装置に録画する技術が提案されている。この技術においては、ドアホン親機に留守モードが設定されている場合、留守モード中に来訪者がドアホン子機の呼び出しボタンを押すと、ドアホン親機はカメラで撮影した映像信号を半導体メモリなどのメモリに記録される。メモリに記録された映像信号を再生する際には、ドアホン親機の操作ボタンが操作される。これにより、メモリから映像信号が読み出され、当該映像信号が示す映像が表示部に表示される。この表示された映像により、留守モード中の来訪者を確認することが可能である。
【０００４】
また、ＨＤＤ（ハードディスク装置）を搭載し、当該ＨＤＤに放送番組を録画する録画機能を有するテレビが出現している。
【特許文献１】特開２００７−１０４３８３号公報
【発明の開示】
【発明が解決しようとする課題】
【０００５】
しかしながら、留守中の来訪者を録画可能なインターホン装置を使用する場合、留守モードの設定に面倒な操作を行う必要がある。
【０００６】
そこで、ドアホン子機のカメラが撮影した映像信号を、テレビに搭載されているＨＤＤなどの記録手段に記録する留守モードを簡単な操作で設定することができる装置の出現が望まれている。
【０００７】
本発明の目的は、インターホン装置と協働して来訪者の映像信号を少なくとも記録する留守モードを簡単な操作で設定することができるテレビジョン受像機及びその制御方法を提供することにある。
【課題を解決するための手段】
【０００８】
本発明は、上記目的を達成するため、来訪者の映像信号を出力するインターホン装置と接続するための接続手段及び放送番組を受信し、該放送番組を視聴するための視聴手段を備えるテレビジョン受像機であって、視聴者による電源のオン、オフ操作に応じた操作信号を入力する第１の入力手段と、前記接続手段を介して前記インターホン装置から出力される映像信号を入力する第２の入力手段と、映像信号を記憶媒体に記録する記録手段と、前記視聴手段及び前記記録手段を制御する制御手段と、前記第１の入力手段に入力された操作信号に基づいて、前記制御手段を動作状態または待機状態へ移行させる動作管理手段と、を備え、前記動作管理手段は、前記第１の入力手段に前記電源のオフ操作に応じた操作信号が入力されると、留守モードを設定し、前記制御手段を待機状態へ移行させ、前記留守モード時に、前記第２の入力手段に前記インターホン装置からの映像信号が入力されると、前記入力された前記インターホン装置からの映像信号を前記記憶媒体に記録するように前記記録手段及び前記制御手段を一時的に動作させることを特徴とするテレビジョン受像機を提供する。
【０００９】
本発明は、上記目的を達成するため、来訪者の映像信号を記録する留守モードを有するインターホン装置と接続するための接続手段及び放送番組を受信し、該放送番組を視聴するための視聴手段を備えるテレビジョン受像機であって、電源のオン、オフ操作に応じた操作信号を入力する入力手段と、前記インターホン装置に前記留守モードにより記録された映像信号を取得する取得手段と、前記視聴手段を制御する制御手段と、前記入力手段に入力された操作信号に基づいて、前記制御手段を動作状態または待機状態に移行させる動作管理手段と、を備え、前記動作管理手段は、前記入力手段に前記電源のオフ操作に応じた操作信号が入力されると、前記制御手段を介して前記インターホン装置に留守モードを設定した後に、前記制御手段を待機状態へ移行させ、前記入力手段に前記電源のオン操作に応じた操作信号が入力されると、前記制御手段を動作状態にした後に、前記制御手段を介して前記インターホン装置の留守モードの設定を解除し、前記制御手段は、前記取得手段により前記インターホン装置に記録されている来訪者の映像信号を取得し、前記視聴手段を介して前記取得された映像信号が示す映像を表示するように制御することを特徴とするテレビジョン受像機を提供する。
【００１０】
また、本発明は、上記目的を達成するため、上記テレビジョン受像機の制御方法を提供する。
【発明の効果】
【００１１】
本発明によれば、インターホン装置と協働して来訪者の映像信号を記録する留守モードを簡単な操作で設定することができる。
【発明を実施するための最良の形態】
【００１２】
以下、本発明の実施の形態について図面を参照しながら説明する。
【００１３】
（第１の実施の形態）
図１は本発明の第１の実施の形態に係るテレビジョン受像機を用いてインターホン装置で撮影された来訪者の映像を録画、再生するシステムの構成を模式的に示す図である。図２は図１のテレビジョン受像機２０１の構成を示すブロック図である。
【００１４】
テレビジョン受像機（以下、テレビという）２０１は、図１に示すように、アンテナケーブル２０３を介して、アンテナ２０２と接続されている。テレビ２０１は、アンテナ２０２を介して受信した放送信号から選択されたチャンネルの映像信号及び音声信号を抽出し、その映像及び音声を出力する。ここで、アンテナ２０２の代わりに、ケーブル放送局からの放送信号を受信する場合も、同様に、当該放送信号から選択されたチャンネルの映像信号及び音声信号を抽出し、その映像及び音声を出力することができる。
【００１５】
また、テレビ２０１には、リモートコントローラ（以下、リモコンという）２０４が付属する。テレビ２０１は、上記リモコン２０４からから送信された指示信号（例えば電源のオン、オフを指示する信号、チャンネル切換を指示する信号など）を受信し、当該指示信号に応じた動作を実行する。
【００１６】
また、テレビ２０１には、インターホン装置２１０が接続可能である。このインターホン装置２１０は、玄関などに設置されるドアホン子機２０６と、室内の設置されるドアホン親機２０５を有する。ドアホン子機２０６とドアホン親機２０５は、接続ケーブル２０７を介して接続される。ドアホン子機２０６には、スピーカ２０６ａ、マイク２０６ｂ、カメラ２０６ｃ及び呼鈴を構成する操作ボタン（呼び出しボタン）２０６ｄが設けられている。ドアホン親機２０５は、ドアホン子機２０６と通話する機能及びカメラ２０６ｃで撮影された映像を表示部２０５ａに表示する機能を有する。
【００１７】
具体的には、ドアホン子機２０６は、来訪者などにより操作ボタン２０６ｄが押下されると、来訪者を通知するための通知信号をドアホン親機２０５に送信する。次いで、ドアホン子機２０６は、カメラ２０６ｃ及びマイク２０６ａを起動し、カメラ２０６ｃが撮影した映像を示す映像信号（アナログ信号）とマイク２０６ａが収集した音声を示す音声信号（アナログ信号）を、ドアホン親機２０５に送信する。
【００１８】
ドアホン親機２０５は、ドアホン子機２０６からの上記通知信号を受信すると、呼鈴を鳴らす。そして、ドアホン親機２０５は、ドアホン子機２０６から送信された映像信号及び音声信号を受信し、映像信号が示す映像を表示部２０５ａに表示するとともに、音声信号が示す音声をスピーカ（図示せず）から出力する。また、ドアホン親機２０５は、接続ケーブル２０８を介してテレビ２０１と接続されており、接続ケーブル２０８を介して、上記通知信号、上記映像信号及び音声信号をテレビ２０１に送信することができる。この接続ケーブル２０８は、アナログ信号用同軸ケーブルからなる。また、アナログ信号用同軸ケーブルを代えて、ＩＥＥＥ１３９４ケーブル、またはＬＡＮ（Local Area Network）ケーブルなどを用いることができる。
【００１９】
テレビ２０１は、図２に示すように、放送番組を受信し、視聴するための視聴手段を構成するためのチューナ部１０１、放送デコーダ１０２、表示処理部１０３、表示部１０４、音声処理部１０５及びスピーカ１０６を備える。また、テレビ２０１は、ドアホン親機２０５から送信された信号を入力するための外部入力部１１９（第２の入力手段）を備える。
【００２０】
チューナ部１０１は、受信した放送信号を受信し、ユーザからの選局指示に対応するチャンネルの信号（映像信号、音声信号、及びその他の信号を含む信号）を抽出する。抽出されたチャンネルの信号は、放送デコーダ１０２に入力される。放送デコーダ１０２は、入力された信号を、映像信号、音声信号及びその他の信号に復号する。
【００２１】
放送デコーダ１０２により復号された信号（映像信号、音声信号及びその他の信号）は、表示処理部１０３、音声処理部１０５、システム制御部１０９、及びＡＶコーデック１１６に入力される。
【００２２】
外部入力部１１９は、接続ケーブル２０８を介して、ドアホン親機２０５から送信された通知信号、映像信号及び音声信号を入力する。この入力された映像信号及び音声信号は、ドアホンデコーダ１２０に送られる。また、外部入力部１１９は、上記通知信号が入力されると、当該通知信号を、制御信号バス１２１を介して、動作管理部１０８に出力する。
【００２３】
ドアホンデコーダ１２０は、上記入力された映像信号及び音声信号をそれぞれデジタル信号に変換し、それぞれのデジタル信号（映像信号及び音声信号）は、表示処理部１０３、音声処理部１０５、及びＡＶコーデック１１６に入力される。
【００２４】
表示処理部１０３は、放送デコーダ１０２からの映像信号、システム制御部１０９により作成された表示データ、ＡＶコーデック１１６からの映像信号、ドアホンデコーダ１２０からの映像信号のそれぞれを所定のフォーマットの映像信号に変換する。ここで、所定のフォーマットの映像信号とは、表示部１０４に表示可能なフォーマットの映像信号である。また、表示処理部１０３は、システム制御部１０９からの制御信号に基づいて、フレームメモリ１０７（記憶媒体の第１の記憶手段）を用いて上記映像信号のそれぞれを合成し、合成した映像信号を上記所定のフォーマットの映像信号を変換する。
【００２５】
表示処理部１０３により所定のフォーマットに変換された映像信号は、表示部１０４に送られ、表示部１０４は、上記映像信号が示す映像を表示する。表示部１０４は、例えば液晶表示パネルからなる。
【００２６】
音声処理部１０５は、放送デコーダ１０２からの音声信号、ＡＶコーデック１１６からの音声信号、ドアホンデコーダ１２０からの音声信号のそれぞれを個別に切り換えまたは重ね合わせて左、右の各スピーカ１０６に出力する。左、右の各スピーカ１０６は、それぞれ、音声処理部１０５から音声信号を音声に変換して出力する。
【００２７】
上記フレームメモリ１０７は、表示処理部１０３が映像を合成する際の映像信号の一時記憶用として使用されるメモリである。また、フレームメモリ１０７は、音声処理部１０５が音声信号を切り換えまたは重ね合わせる際の音声信号の一時記憶用として使用される。また、フレームメモリ１０７は、ＡＶコーデック１１６が処理するファイルの一時記憶場所としても使用される。
【００２８】
ＡＶコーデック１１６（記録、再生手段）は、放送デコーダ１０２、ドアホンデコーダ１２０の出力（映像信号及び音声信号）をフレームメモリ１０７またはＨＤＤ（ハードディスク装置）１１７に記録する。ここで、ＨＤＤ１１７（記憶媒体の第２の記憶手段）は、フレームメモリ１０７（記憶媒体の第１の記憶手段）より十分に大きい記憶容量を有する。また、ＡＶコーデック１１６は、上記ＨＤＤ１１７に記録されたデータ（録画データ）を読み出し、表示処理部１０３、音声処理部１０５に出力する。ＡＶコーデック１１６に用いられる記録再生フォーマットとしては、ＭＰＥＧ２、ＭＰＥＧ４のようなデジタルデータの圧縮に適したフォーマットが用いられる。また、上記録画データのサイズ（ビットレート）は、放送映像またはドアホン子機２０６のカメラ２０６ｃが撮影した映像の解像度に応じて、変更可能である。本実施の形態において、ＨＤＤ１１７はテレビ２０１に内蔵されているが、これ代えて、外部に接続されたレコーダ内にＨＤＤを配置するようにしてもよい。この場合、テレビ２０１と外部のレコーダとの接続には、ＨＤＭＩ（High-Definition Multimedia Interface）、ＤＬＮＡ（Digital Living Network Alliance）などのデジタルインターフェイスが用いられる。
【００２９】
上記システム制御部１０９は、ＣＰＵ、ＲＯＭ、ＲＡＭ（図示せず）などから構成される。システム制御部１０９は、制御信号バス１１５を介して、各ブロックの動作（オン、オフを含む）を制御するとともに、各種処理を行う。これにより、テレビ２０１が有する各機能（例えばＨＤＤ１１７を用いた番組録画など）が実行される。ここで、システム制御部１０９が行う処理には、特定のデータ（メッセージ、メニューなど）を表示処理部１０３に表示する処理が含まれる。例えばメニューの表示などは、ユーザの操作に応じて行われる。
【００３０】
上記動作管理部１０８は、システム制御部１０９に比して、消費電力が少ないＭＰＵなどから構成される。動作管理部１０８には、常時電源が供給され、実時間（月、日、時刻を含む）と、処理開始などを制御するために設定された設定時間を管理する。また、動作管理部１０８は、制御信号バス１２１を介して、外部入力部１１９、ドアホンデコーダ１２０を制御する。また、動作管理部１０８は、制御信号バス１２１を介して、ＡＶコーデック１１６を制御することができる。このように、ＡＶコーデック１１６は、動作管理部１０８、システム制御部１０９のいずれかの制御下におかれ、制御されることになる。
【００３１】
上記動作管理部１０８は、ドアホン管理部１１８を含む。ドアホン管理部１１８は、ＨＤＤ１１７に記録されている、来訪者の録画データ（映像信号及び音声信号を含む）に対応付け可能な録画情報の一覧である来訪者リストを保持、管理する。
【００３２】
また、上記動作管理部１０８には、リモコン２０４の操作に応じた操作信号を入力するための操作入力部１１０（第１の入力手段）が接続され、操作入力部１１０に入力された信号は、動作管理部１０８に送られる。動作管理部１０８は、操作入力部１１０に電源のオンまたオフ操作に応じた操作信号が入力されると、当該操作信号に応じて、システム制御部１０９を待機態から動作状態へ、または動作状態から待機状態へ移行させる。例えば電源のオフ操作に応じた操作信号が入力されると、動作管理部１０８は、留守時の来訪者の映像及び音声を録画するための留守モード（詳細は後述する）を設定する。そして、動作管理部１０８は、留守モード時、システム制御部１０９に代わり、制御信号バス１２１を介して、各ブロック１０９，１１６，１１９，１２０を制御する。
【００３３】
本実施の形態においては、来訪者を確認するためのモードとして、テレビ２０１を使用するモード及びテレビ２０１を使用しないモードがある。テレビ２０１を使用するモードには、電源オン状態にあるテレビ２０１に来訪者の映像を表示するテレビ表示モード、及び来訪者の映像を録画する留守モードが含まれる。テレビ表示モード及び留守モード（テレビ２０１を使用するモード）は、リモコン２０４によるテレビ２０１の電源のオン、オフ操作に応じて、動作管理部１０８により自動的に設定される。また、テレビ２０１を使用しないモードは、ドアホン親機２０５における居住者の操作により、設定される。
【００３４】
次に、上記テレビ表示モードについて図３を参照しながら説明する。図３（ａ）はテレビ２０１の表示部１０４に放送画面とドアホン画面の２画面表示の一例を示す図である。図３（ｂ）はテレビ２０１の表示部１０４に表示されている放送画面に「来客がある」旨を示すメッセージを重畳した例を示す図である。
【００３５】
本実施の形態においては、上述したように、リモコン２０４の操作により、テレビ２０１の電源をオンすると、居住者（視聴者）がテレビ２０１の放送番組を視聴しながら来訪者を確認することが可能なテレビ表示モードが動作管理部１０８に設定される。このテレビ表示モードが設定されている場合、来訪者によりドアホン子機２０６の操作ボタン２０６ｄが押下されると、ドアホン子機２０６から通知信号がドアホン親機２０５に送信される。また、ドアホン子機２０６のカメラ２０６ｃが撮影した映像を示す映像信号とマイク２０６ａが収集した音声を示す音声信号が、ドアホン親機２０５に送信される。
【００３６】
ドアホン親機２０５は、ドアホン子機２０６から送信された通知信号、映像信号及び音声信号を受信すると、それらの信号を、接続ケーブル２０８を介してテレビ２０１に送信する。
【００３７】
テレビ２０１において、外部入力部１１９は、上記通知信号を受信すると、当該通知信号を、制御信号バス１２１を介して動作管理部１０８に送信する。動作管理部１０８は、現在設定されているモードがテレビ表示モードであるので、システム制御部１０９に対して、２画面表示指示を送信する。システム制御部１０９は、動作管理部１０８からの２画面表示指示に基づいて、放送番組画面とドアホン画面の２画面表示を行うように、表示処理部１０３を制御する。例えば図３（ａ）に示すような、放送番組の映像を映す放送番組画面３０１とドアホン親機２０５から受信した映像信号が示す映像を映すドアホン画面３０２からなる２画面が、表示部処理部１０３により生成され、表示部１０４に表示される。この２画面表示の際には、放送番組の音声はカットされ、来訪者の音声がスピーカ１０６から出力される。
【００３８】
ここで、上記ドアホン画面３０２には、ドアホン子機２０６のカメラ２０６ｃにより撮影された映像（来訪者の映像）が表示される。また、「来客です！」のメッセージ３０３が表示部１０４に表示される。このメッセージ３０３の表示の際に、当該メッセージ３０３を読み上げる音声を出力するようにしてもよい。
【００３９】
また、本実施の形態においては、図３（ａ）に示すような２画面表示を行うようにしているが、この２画面表示に限定されるものではない。例えば図３（ｂ）に示すように、放送番組の映像に、「来客です！」のメッセージ３０３のみを重畳して表示部１０４に表示するようにしてもよい。
【００４０】
次に、本実施の形態における留守モードの設定、留守モード中における来訪者の録画及び再生について図４〜図９を参照しながら説明する。図４及び図５は動作管理部１０８の処理の手順を示すフローチャートである。図６〜図８はシステム制御部１０９の処理の手順を示すフローチャートである。図９（ａ）は来訪者リストの表示画面の一例を示す図、図９（ｂ）は来訪者リストがない場合の表示画面の一例を示す図である。
【００４１】
動作管理部１０８は、図４に示すように、テレビ２０１の電源がオンの状態において、操作入力部１１０を介して電源のオフ操作に応じた操作信号が入力されたか否かを監視する（ステップＳ１０１）。ここで、電源のオフ操作に応じた操作信号が入力されると、動作管理部１０８は、留守モードを設定する（ステップＳ１０２）。そして、動作管理部１０８は、システム制御部１０９に代わり、ＡＶコーデック１１６の動作を制御する。これにより、動作管理部１０８の制御下において、テレビドアホン親機２０５からの映像信号及び音声信号をフレームメモリ１０７に記録することが可能になる。
【００４２】
次いで、動作管理部１０８は、システム制御部１０９を動作状態から待機状態へ移行させるための待機指示をシステム制御部１０９に送信する（ステップＳ１０３）。この待機指示を受けたシステム制御部１０９は、後述するように、放送番組の視聴に必要な各ブロック（視聴手段）の動作をオフすることにより、テレビ２０１を待機状態にする。また、システム制御部１０９は、上記待機指示により、動作状態から待機状態へ移行する。システム制御部１０９は、待機状態においては、動作管理部１０８からのＨＤ起動指示またはテレビ起動指示の起動指示を受け付け可能である。
【００４３】
次いで、動作管理部１０８は、操作入力部１１０を介して電源のオン操作に応じた操作信号が入力されたか否かを監視する（ステップＳ１０４）。上記電源のオン操作に応じた操作信号が入力されていない場合、動作管理部１０８は、来訪者の有無を判定する（ステップＳ１０５）。ここでは、外部入力部１１９を介して、ドアホン親機２０５からの通知信号（来訪者を知らせるための信号）が入力されたか否かに応じて来訪者の有無が判定される。ここで、来訪者がないと判定された場合、動作管理部１０８は、上記ステップＳ１０４に戻る。
【００４４】
上記ステップＳ１０５において来訪者があると判定された場合、動作管理部１０８は、来訪者の映像信号及び音声信号の録画を開始する（ステップＳ１０６）。ここでは、外部入力部１１９がドアホン親機２０５からの映像信号及び音声信号を受信し、受信した映像信号及び音声信号は、ドアホンデコーダ１２０により、デジタル信号に変換される。これらのデジタル信号は、ＡＶコーデック１１６を介してフレームメモリ１０７に一時記録される。そして、動作管理部１０８は、システム制御部１０９に対して、ＨＤＤ起動指示を送信する（ステップＳ１０７）。このＨＤＤ起動指示を受けたシステム制御部１０９は、後述するように、一時的に待機状態から動作状態へ移行し、放送番組の視聴に必要な各ブロック（視聴手段）を動作させることなく、ＨＤＤ１１７を起動する。
【００４５】
次いで、動作管理部１０８は、上記録画を終了する（ステップＳ１０８）。動作管理部１０８は、無音の音声信号が外部入力部１１９に一定時間（例えば数十秒）継続して入力された場合に、録画を終了する。ここで、ドアホン親機２０５にも、同様に、ドアホン子機２０６から無音の音声信号が一定時間（例えば数十秒）継続して入力されることになり、ドアホン親機２０５は、録画終了をドアホン子機２０６に通知する。これにより、ドアホン子機２０６は、カメラ２０６ｃなどの動作を停止させた待機状態へ移行する。
【００４６】
次いで、動作管理部１０８は、動作状態へ移行したシステム制御部１０９に対して、録画データ移動指示を送信する（ステップＳ１０９）。この録画データ移動指示は、フレームメモリ１０７に記録された録画データ（来訪者の映像信号及び音声信号）をＨＤＤ１１７へ移動させることを指示するものである。
【００４７】
次いで、動作管理部１０８は、システム制御部１０９から送信された録画情報を受信し、この録画情報をドアホン管理部１１８の来訪者リストに書き込む（ステップＳ１１０）。そして、動作管理部１０８は、上記ステップＳ１０３に戻る。
【００４８】
上記ステップＳ１０４において電源のオン操作に応じた操作信号が入力されたと判定された場合、図５に示すように、動作管理部１０８は、設定されている留守モードを解除し、テレビ起動指示をシステム制御部１０９に送信する（ステップＳ１１１）。このテレビ起動指示は、システム制御部１０９に対してテレビ２０１の起動を指示するための指示である。このテレビ起動指示を受けたシステム制御部１０９は、後述するように、待機状態から動作状態へ移行し、放送番組の視聴に必要な各ブロックを動作させる。
【００４９】
次いで、動作管理部１０８は、来訪者リストがあるか否かを判定する（ステップＳ１１２）。ここでは、ドアホン管理部１１８に保持されている来訪者リスト内に録画情報があれば、来訪者リストがあると判定され、録画情報がなければ、来訪者リストがないと判定される。
【００５０】
上記ステップＳ１１２において来訪者リストがあると判定された場合、動作管理部１０８は、来訪者リストをシステム制御部１０９に送信する（ステップＳ１１３）。そして、動作管理部１０８は、システム制御部１０９からの録画情報消去指示を受信したか否かを判定する（ステップＳ１１４）。ここで、上記録画情報消去指示を受信した場合、動作管理部１０８は、ドアホン管理部１１８に保持されている来訪者リストから、上記録画情報消去指示により指示された録画情報を消去する（ステップＳ１１５）。
【００５１】
次いで、動作管理部１０８は、システム制御部１０９からの来訪者リスト表示終了通知を受信したか否かを判定する（ステップＳ１１６）。ここで、上記来訪者リスト表示終了通知を受信していない場合、動作管理部１０８は、上記ステップＳ１１４に戻る。これに対し、上記来訪者リスト表示終了通知を受信した場合、動作管理部１０８は、上記ステップＳ１０１に戻る。
【００５２】
上記ステップＳ１１４において録画情報消去指示を受信していないと判定された場合、動作管理部１０８は、上記ステップＳ１１５をスキップして上記ステップＳ１１６に進む。
【００５３】
上記ステップＳ１１３において来訪者リストがないと判定された場合、動作管理部１０８は、来訪者リスト無をシステム制御部１０９に通知する（ステップＳ１１７）。そして、動作管理部１０８は、上記ステップＳ１０１に戻る。
【００５４】
これに対し、動作状態にあるシステム制御部１０９は、図６に示すように、上記動作管理部１０８からの待機指示（ステップＳ１０３）の受信を待つ（ステップＳ２０１）。上記待機指示を受信すると、システム制御部１０９は、放送番組の視聴に必要な各ブロック（視聴手段）及びＨＤＤ１１７の動作をオフし、ＨＤＤ起動指示またはテレビ起動指示を受け付け可能な待機状態へ移行する（ステップＳ２０２）。ここで、動作をオフされる放送番組の視聴に必要な各ブロックとしては、チューナ部１０１、放送デコーダ１０２、表示処理部１０３、表示部１０４、音声処理部１０５、スピーカ１０６の各ブロックがある。
【００５５】
次いで、システム制御部１０９は、動作管理部１０８からのＨＤＤ起動指示を受信したか否か判定する（ステップＳ２０３）。ここで、上記ＨＤＤ起動指示を受信すると、システム制御部１０９は、一時的に待機状態から動作状態へ移行し（ステップＳ２０４）、ＡＶコーデック１１６を介してＨＤＤ１１７を起動する（ステップＳ２０５）。そして、システム制御部１０９は、動作管理部１０８からの録画データ移動指示を受信するのを待つ（ステップＳ２０６）。
【００５６】
上記ステップＳ２０６において録画データ移動指示を受信すると、システム制御部１０９は、フレームメモリ１０７からＨＤＤ１１７へ移動する来訪者の録画データ（映像信号及び音声信号）を特定するための録画情報を作成する（ステップＳ２０７）。この作成された録画情報は、動作管理部１０８に送信される。この録画情報としては、例えば録画データの録画時刻（年月日時分）などが用いられるが、これに限定されるものではない。録画情報は、動作管理部１０８において、ドアホン管理部１１８に保持されている来訪者リストに書き込まれる。
【００５７】
次いで、システム制御部１０９は、ファイル制御部１１１を制御し、フレームメモリ１０７に記録された来訪者の録画データ（映像信号及び音声信号）を録画情報と対応付けてＨＤＤ１１７に移動する（ステップＳ２０８）。そして、システム制御部１０９は、上記ステップ２０１に戻る。ここで、動作管理部１０８は、上記録画データ移動指示の送信後に、再び、待機指示をシステム制御部１０９に送信する（ステップＳ１０３）になるので、この待機指示を受けてシステム制御部１０９は、再び待機状態に戻る。
【００５８】
上記ステップＳ２０３において上記ＨＤＤ起動指示を受信していないと判定された場合、図７に示すように、システム制御部１０９は、テレビ起動指示を受信したか否かを判定する（ステップＳ２０９）。テレビ起動指示を受信していなければ、システム制御部１０９は、上記ステップＳ２０３に戻る。これに対し、テレビ起動指示を受信した場合、システム制御部１０９は、待機状態から動作状態へ移行し（ステップＳ２１０）、放送番組の視聴に必要な各ブロック（視聴手段）を動作させる（ステップＳ２１１）。また、システム制御部１０９が動作状態へ移行したことにより、ＡＶコーデック１１６（フレームメモリ１０７，ＨＤＤ１１７）に対する制御は、動作管理部１０８からシステム制御部１０９へ渡されることになる。
【００５９】
次いで、システム制御部１０９は、動作管理部１０８からの来訪者リストを受信したか否かを判定する（ステップＳ２１２）。ここで、動作管理部１０８から上記来訪者リストを受信しない場合、即ち動作管理部１０８から来訪者リストがない旨の通知を受けた場合、システム制御部１０９は、例えば図９（ａ）に示すような画面を表示部１０４に表示する（ステップＳ２１３）。図９（ａ）に示す画面は、放送番組の映像に、「来訪者リストなし」のメッセージを重畳した画面である。次いで、システム制御部１０９は、「来訪者リストなし」のメッセージを一定時間（例えば数秒間）表示した後に消去し、放送番組の映像のみを表示部１０４に表示する通常視聴画面へ切り換える（ステップＳ２１４）。通常視聴画面に切り換えられると、テレビ表示モードが設定され、このテレビ表示モード時に来訪者があると、放送番組に来訪者の映像が表示されることになる。そして、システム制御部１０９は、上記ステップＳ２０１に戻る。
【００６０】
上記ステップＳ２１２において上記来訪者リストを受信した場合、図８に示すように、システム制御部１０９は、上記受信した来訪者リストを表示部１０４に表示する（ステップＳ２１５）。ここで、来訪者リストの表示は、例えば図９（ｂ）に示すような、放送番組の映像に来訪者リスト画面５０１を重畳することにより行われる。
【００６１】
図９（ｂ）に示す画面の場合、来訪者リスト画面５０１には、来訪者数及び来訪者毎の録画情報（時刻情報）を含む来訪者リスト５０２が表示される。来訪者毎の録画情報には、それぞれを選択するためのチェックボックス５０３が設けられている。１つのチェックボックス５０３の選択は、リモコン２０４の操作により行われる。
【００６２】
また、「終了」ボタン５０４、「再生」ボタン５０５、「消去」ボタン５０６が表示される。「終了」ボタン５０４は、来訪者リスト画面５０１の表示を終了させるためのボタンである。「再生」ボタン５０５は、チェックボックス５０３にチェックを入れることにより選択された録画情報に対応する録画データを再生するためのボタンである。「消去」ボタン５０６は、チェックボックス５０３にチェックを入れることにより選択された録画情報に対応する録画データを消去するためのボタンである。これらのボタン５０４〜５０６の選択は、リモコン２０４の操作により行われる。
【００６３】
次いで、システム制御部１０９は、「終了」ボタン５０４が選択されたか否かを判定する（ステップＳ２１６）。「終了」ボタン５０４が選択された場合、システム制御部１０９は、来訪者リスト表示終了通知を動作管理部１０８に送信する（ステップＳ２１７）。次いで、システム制御部１０９は、来訪者リスト画面５０１を閉じ、放送番組の映像のみを表示部１０４に表示する通常視聴画面に切り換える（ステップＳ２１８）。そして、システム制御部１０９は、上記ステップ２０１に戻る。
【００６４】
これに対し、上記ステップＳ２１６において「終了」ボタン５０４が選択されていないと判定された場合、システム制御部１０９は、いずれか１つのチェックボックス５０３（録画情報）が選択されているか否かを判定する（ステップＳ２１９）。いずれのチェックボックス５０３（録画情報）も選択されていない場合、システム制御部１０９は、上記ステップＳ２１６に戻る。これに対し、いずれか１つのチェックボックス５０３が選択されている場合、システム制御部１０９は、「消去」ボタン５０６が選択された否かを判定する（ステップＳ２２０）。
【００６５】
上記ステップＳ２２０において「消去」ボタン５０６が選択されたと判定された場合、システム制御部１０９は、選択された１つのチェックボックス５０３に対応する録画情報及びその録画データをＨＤＤ１１７から消去する（ステップＳ２２１）。そして、システム制御部１０９は、録画情報消去指示を動作管理部１０８に送信する（ステップＳ２２２）。この録画情報消去指示は、上記動作管理部１０８に対して、上記選択されたチェックボックス５０３の録画情報を消去することを指示するものである。この録画情報消去指示を受けた動作管理部１０８は、ドアホン管理部１１２の来訪者リスト内の録画情報のうち、選択されたチェックボックス５０３の録画情報を消去する。そして、システム制御部１０９は、上記ステップＳ２１６に戻る。
【００６６】
上記ステップＳ２２０において「消去」ボタン５０６が選択されていないと判定された場合、システム制御部１０９は、「再生」ボタン５０５が選択されたか否かを判定する（ステップＳ２２３）。「再生」ボタン５０５が選択された場合、システム制御部１０９は、選択された１つのチェックボックス５０３の録画情報に対応付けられている録画データの再生を行う（ステップＳ２２４）。この再生においては、ＨＤＤ１１７から選択された１つのチェックボックス５０３の録画情報に対応付けられている録画データが読み出され、当該録画データが表示部１０４に表示される。このとき、録画データの映像は、来訪者リスト５０２の表示領域に表示される。また、録画データの音声はスピーカ１０６から出力されるが、放送番組の音声はカットされる。そして、システム制御部１０９は、上記ステップＳ２１６に戻る。
【００６７】
上記ステップＳ２２３において上記「再生」ボタン５０５が選択されていない場合、システム制御部１０９は、上記ステップＳ２１６に戻る。
【００６８】
このように、本実施の形態によれば、居住者がリモコン２０４を操作してテレビ２０１の電源をオフすれば、テレビ２０１のＨＤＤ１１７に来訪者の映像及び音声を録画可能な留守モードを設定することができる。即ち、非常に簡単な操作で留守モードを設定することができる。また、留守モード中においては、テレビ２０１（及びＨＤＤ１１７）は待機状態にあり、来訪者のフレームメモリ１０７への録画が開始されると、ＨＤＤ１１７が起動されるので、留守モード中の消費電力を少なくすることができる。
【００６９】
また、居住者がリモコン２０４を用いてテレビ２０１の電源をオンすると、来訪者リストが、またはそれがない旨を示すメッセージが表示部１０４に表示される。これにより、来訪者の録画データ（映像及び音声）の有無を確認することができる。また、来訪者の録画データがあれば、それを再生することができる。
【００７０】
また、テレビ２０１の電源をオンすれば、留守モードが解除され、テレビ表示モードが設定される。このテレビ表示モードの設定によって、放送番組を視聴中に来訪者があると、放送番組を視聴しながら来訪者の映像を確認することが可能になる。
【００７１】
また、留守モード中の放送番組の録画時期と来訪者の録画時期が重複するような場合においても、ＡＶコーデック１１６の録画ビットレートを低ビットレートに制御すれば、フレームメモリ１０７の使用量を減らすことが可能である。例えば、フレームメモリ１０７に２つのハイビジョン放送番組を表示可能な容量があれば、来訪者の録画を１０分以上行うことが可能である。
【００７２】
また、来訪者の録画が長時間に及ぶような場合に対しては、フレームメモリ１０７からＨＤＤ１１７に並行して録画データを移動することによって対応することが可能である。
【００７３】
（第２の実施の形態）
次に、本発明の第２の実施の形態について図１０〜図１５を参照しながら説明する。図１０は本発明の第２の実施の形態に係るテレビジョン受像機の構成を示すブロック図である。図１１は図１０のテレビジョン受像機と接続されるインターホン装置のドアホン親機の主要部構成を示すブロック図である。図１２及び図１３はシステム制御部７０９の処理の手順を示すフローチャートである。図１４及び図１５はドアホン親機２０５の処理の手順を示すフローチャートである。
【００７４】
本実施の形態は、上記第１の実施の形態に対し、ＨＤＤが搭載されていないテレビと、来訪者の映像及び音声を記録する留守モードを有するインターホン装置を接続する点で異なる。具体的には、リモコンを用いてテレビの電源をオフすると、インターホン装置のドアホン親機に設けられているメモリに、来訪者の映像及び音声を記録する留守モードが設定される。この留守モード時に来訪者があると、当該来訪者の映像信号及び音声信号が録画データとしてドアホン親機のメモリに記録される。テレビの電源がオンされると、留守モードが解除され、ドアホン親機のメモリに記録されている来訪者の録画データを確認するための来訪者リストがテレビに表示される。
【００７５】
本実施の形態のテレビ２０１は、図１０に示すように、チューナ部１０１、放送デコーダ１０２、表示処理部１０３、表示部１０４、音声処理部１０５、スピーカ１０６及びフレームメモリ１０７を備える。また、テレビ２０１は、外部通信部７１９、ドアホンデコーダ７２０、動作管理部７０６及びシステム制御部７０９を備える。
【００７６】
外部通信部（取得手段）７１９は、ドアホン親機２０５と相互に通信可能なように、ドアホン親機２０５と例えばＩＥＥＥ１３９４、ＬＡＮ（Local Area Network）などの規格に準拠した接続ケーブル２０８を介して接続される。例えば外部通信部（取得手段）７１９は、ドアホン親機２０５に制御コマンド（各種指示）を送信し、当該制御コマンドに応答してドアホン親機２０５から送信されたデータ（録画データ、来訪者リストなど）を受信（取得）するなどの処理を行う。
【００７７】
ドアホンデコーダ７２０は、外部通信部７１９がドアホン親機２０５から受信した録画データに含まれる映像信号及び音声信号をテレビ２０１で処理可能な信号に変換し、これらの信号は、表示処理部１０３及び音声処理部１０５にそれぞれ入力される。
【００７８】
動作管理部７０８は、システム制御部７０９に比して、消費電力が少ないＭＰＵなどから構成され、動作管理部７８には、常時電源が供給される。動作管理部７０８は、実時間（月、日、時刻を含む）と、処理開始などを制御するために設定された設定時間を管理する。例えば、実時間が設定時間になると、その旨を示す信号がシステム制御部７０９に送信される。動作管理部７０８には、リモコン２０４の操作に応じた操作信号を入力するための操作入力部１１０が接続され、操作入力部１１０に入力された操作信号は、動作管理部７０８に入力される。ここで、動作管理部７０８は、操作入力部１１０を介して電源のオン操作または電源のオフ操作に応じた操作信号が入力されると、制御信号バス７２１を介して、システム制御部７０９に対して起動指示または待機指示を送信する。これにより、システム制御部７０９は、待機状態から動作状態へまたは動作状態から待機状態へ移行する。
【００７９】
システム制御部７０９は、ＣＰＵ、ＲＯＭ、ＲＡＭなどから構成され、テレビ２０１全体の制御を行う。また、システム制御部７０９は、ドアホン親機２０５に対して、留守モードの設定指示及び解除指示、来訪者リストの送信指示、録画データの削除指示及び再生指示などを行う。また、システム制御部７０９は、放送番組の通常視聴時に来訪者があると、例えば図３（ａ）に示すような放送番組画面とドアホン画面の２画面表示を行うように表示処理部１０３を制御する（テレビ表示モード）。
【００８０】
ここで、リモコン２０４から電源のオフ操作に応じた操作信号が操作入力部１１０を介して動作管理部７０８に入力されると、動作管理部７０８は、待機指示をシステム制御部７０９に送信する。上記待機指示を受けたシステム制御部７０９は、来訪者を録画するための留守モード設定指示をドアホン親機２０に送信する。そして、システム制御部７０９は、制御信号バス１１５を介して、各ブロック１０１，１０２，１０３，１０５，７１９，７２０の動作をオフし、動作状態から待機状態へ移行する。
【００８１】
これに対し、電源のオン操作に応じた操作信号が操作入力部１１０を介して動作管理部７０８に入力されると、動作管理部７０８は、起動指示をシステム制御部７０９に送信する。これにより、システム制御部７０９は、待機状態から動作状態へ移行する。そして、システム制御部７０９は、動作状態へ移行し、制御信号バス１１５を介して、各ブロック１０１，１１０２，１０３，１０４，１０５，１０７の動作をオンする。
【００８２】
インターホン装置のドアホン親機２０５は、図１１に示すように、子機Ｉ／Ｆ（インタフェース）３０１、表示部３０２、外部通信部３０３、メモリ３０４、スピーカ３０５、操作ボタン３０６、マイク３０７、及び制御部３０８を有する。
【００８３】
子機Ｉ／Ｆ３０１は、接続ケーブル２０７を介してドアホン子機２０６と接続され、ドアホン子機２０６との間で信号を送受信する。表示部３０２は、ドアホン子機２０５から送信された映像信号が示す映像を表示する。外部通信部３０３は、接続ケーブル２０８を介してテレビ２０１と接続され、テレビ２０１との間で、録画データ、制御コマンドなどの送受信を行う。メモリ３０４は、ドアホン子機２０６から送信された映像信号及び音声信号を録画データとして記録するためのメモリである。スピーカ３０５は、ドアホン子機２０６から送信された音声信号が示す音声を出力する。操作ボタン３０６は、居住者が来訪者に対して応答するための応答ボタンである。マイク３０７は、操作ボタン３０６の押下により起動され、居住者の音声を入力する。
【００８４】
制御部３０８は、ドアホン子機２０６から子機Ｉ／Ｆ３０１を介して受信した信号及び操作ボタン３０６の押下に基づいて、子機Ｉ／Ｆ３０１、表示部３０２、外部通信部３０３、メモリ３０４、スピーカ３０５及びマイク３０７を制御する。
【００８５】
ここで、例えばドアホン子機２０６から操作ボタン２０６の押下に伴う通知信号を受信した場合、制御部３０８は、来訪者の映像信号が示す映像を表示部３０３に表示し、音声信号が示す音声をスピーカ３０５から出力するための応答制御が行われる。また、テレビ２０１からの留守モード設定指示基づいて留守モードが設定された場合において上記通知信号を受信すると、来訪者の映像信号及び音声信号を録画データとしてメモリ３０４に記録するための録画制御が行われる。この録画制御の際に、録画データを特定するための録画情報が作成され、当該録画情報は録画データと対応付け可能なようにメモリ３０４の来訪者リストに書き込まれる。また、テレビ２０１からの再生指示に基づいてメモリ３０４に記録されている来訪者リスト及び当該来訪者リストの録画情報に対応付けられている録画データを読み出し、これらを、外部通信部３０３を介してテレビ２０１に送信するための再生制御が行われる。
【００８６】
次に、留守モードの設定及び留守モードによる来訪者の録画及び再生について図１２〜図１５を参照しながら説明する。
【００８７】
テレビ２０１においては、動作管理部７０８がテレビ２０１の電源がオンの状態において、居住者によりリモコン２０４が操作されてテレビ２０１の電源がオフされたか否かを監視する。ここで、上記電源がオフされると、動作管理部７０８は、待機指示をシステム制御部７０９に送信する。また、動作管理部７０８は、テレビ２０１の電源がオフの状態において、居住者によりリモコン２０４が操作されてテレビ２０１の電源がオンされると、起動指示をシステム制御部７０９に送信する。
【００８８】
動作状態にあるシステム制御部７０９は、図１２に示すように、動作管理部７０８からの待機指示の受信を待つ（ステップＳ３０１）。ここで、上記待機指示を受信すると、システム制御部７０９は、外部通信部７１９を介して、留守モード設定指示をドアホン親機２０５に送信する（ステップＳ３０２）。そして、システム制御部７０９は、各ブロック１０１，１０２，１０３，１０５，７１９，７２０の動作をオフし、動作状態から待機状態へ移行する（ステップＳ３０３）。システム制御部７０９は、待機状態においては、動作管理部７０８からの起動指示を受け付け可能な状態にある。
【００８９】
次いで、システム制御部７０９は、動作管理部７０８からの起動指示の受信を待つ（ステップＳ３０４）。ここで、上記起動指示を受信すると、システム制御部７０９は、待機状態から動作状態へ移行し、各ブロック１０１，１０２，１０３，１０５，７１９，７２０の動作をオンする（ステップＳ３０５）。そして、システム制御部７０９は、外部通信部７１９を介して、留守モード解除指示をドアホン親機２０５に送信する（ステップＳ３０６）。
【００９０】
上記留守モード解除指示を受けたドアホン親機２０５は、後述するように、来訪者リスト（即ち来訪者の録画データに対応付けられている録画情報の一覧）があれば、当該来訪者リストをテレビ２０１に送信する。これに対し、上記来訪者リストがなければ、ドアホン親機２０５は、来訪者リストの代わりに、来訪者リストがない旨をテレビ２０１に通知する。
【００９１】
次いで、システム制御部７０９は、ドアホン親機２０５から来訪者リストを受信したか否かを判定する（ステップＳ３０７）。ここで、ドアホン親機２０５から上記来訪者リストを受信しない場合、即ち来訪者リストがない旨が通知された場合、システム制御部７０９は、例えば、上述した図９（ａ）に示すような画面を表示する（ステップＳ３０８）。
【００９２】
次いで、システム制御部７０９は、「来訪者リストなし」のメッセージを一定時間（例えば数秒間）表示した後に消去し、放送番組の映像のみを表示部１０４に表示する通常視聴画面へ切り換える（ステップＳ３０９）。このとき、システム制御部７０９には、テレビ表示モードが設定される。そして、システム制御部７０９は、上記ステップＳ３０１に戻る。
【００９３】
上記ステップＳ３０７において上記来訪者リストを受信した場合、図１３に示すように、システム制御部７０９は、上記受信した来訪者リストを表示部１０４に表示する（ステップＳ３１０）。ここでは、上記第１の実施の形態と同様に、図９（ｂ）に示すように、来訪者リストが放送番組の映像に重畳されて表示される。
【００９４】
以降、図９（ｂ）に示す画面が表示部１０４に表示されたものとし、当該画面を用いて録画データの再生などを行う場合を説明する。
【００９５】
次いで、システム制御部７０９は、「終了」ボタン５０４が選択されたか否かを判定する（ステップＳ３１１）。「終了」ボタン５０４が選択された場合、システム制御部７０９は、来訪者リスト表示終了通知をドアホン親機２０５に送信する（ステップＳ３１２）。次いで、システム制御部７０９は、来訪者リスト画面５０１を閉じ、放送番組の映像のみを表示部１０４に表示する通常視聴画面に切り換える（ステップＳ３１３）。そして、システム制御部１０９は、上記ステップ３０１に戻る。
【００９６】
これに対し、上記ステップＳ３１１において「終了」ボタン５０４が選択されていないと判定された場合、システム制御部７０９は、いずれか１つのチェックボックス５０３（録画情報）が選択されているか否かを判定する（ステップＳ３１４）。いずれのチェックボックス５０３も選択されていない場合、システム制御部７０９は、上記ステップＳ３１１に戻る。これに対し、いずれか１つのチェックボックス５０３が選択されている場合、システム制御部７０９は、「消去」ボタン５０６が選択された否かを判定する（ステップＳ３１５）。
【００９７】
上記ステップＳ３１５において「消去」ボタン５０６が選択されたと判定された場合、システム制御部７０９は、録画データ消去指示をドアホン親機２０５に送信する（ステップＳ３１６）。この録画データ消去指示は、ドアホン親機２０５に対して、選択された１つのチェックボックス５０３の録画情報に対応付けられている録画データの消去を指示するものである。そして、システム制御部７０９は、上記ステップＳ３１１に戻る。
【００９８】
上記ステップＳ３１５において「消去」ボタン５０６が選択されていないと判定された場合、システム制御部７０９は、「再生」ボタン５０５が選択されたか否かを判定する（ステップＳ３１７）。「再生」ボタン５０５が選択された場合、システム制御部７０９は、録画データ送信指示をドアホン親機２０５に送信する（ステップＳ３１８）。この録画データ送信指示は、ドアホン親機２０５に対して、選択された１つのチェックボックス５０３の録画情報に対応付けられている録画データの送信を指示するものである。そして、システム制御部７０９は、上記録画データ送信指示に応答してドアホン親機２０５から送信された録画データを受信し、当該録画データの再生を行う（ステップＳ３１９）。ここで、録画データの映像は、上記第１の実施の形態と同様に、表示部１０４に表示され、録画データの音声は、スピーカ１０６から出力される。再生が終了すると、システム制御部７０９は、上記ステップＳ３１１に戻る。
【００９９】
上記ステップＳ３１７において上記「再生」ボタン５０５が選択されていない場合、システム制御部１０９は、上記ステップＳ３１１に戻る。
【０１００】
ドアホン親機２０５においては、図１４に示すように、制御部３０８が、システム制御部７０９からの留守モード設定指示の受信を監視する（ステップＳ４０１）。ここで、上記留守モード設定指示を受信すると、制御部３０８は、留守モードを設定する（ステップＳ４０２）。そして、制御部３０８は、留守モード処理を実行する（ステップＳ４０３）。この留守モード処理においては、ドアホン子機２０６からの通知信号を受信すると、ドアホン子機２０６からの来訪者の映像信号及び音声信号をメモリ３０４に記録するための録画制御が行われる。ここで、来訪者の映像信号及び音声信号がメモリ３０４に記録されると、その記録が開始された時刻情報が録画情報として、メモリ３０４に保持されている来訪者リストに書き込まれる。
【０１０１】
次いで、制御部３０８は、システム制御部７０９からの留守モード解除指示の受信を待つ（ステップＳ４０４）。ここで、上記留守モード解除指示を受信すると、制御部３０８は、留守モードを解除し（ステップＳ４０５）、メモリ３０４に来訪者リストがあるか否かを判定する（ステップＳ４０６）。この来訪者リストの有無の判定においては、メモリ３０４に保持されている来訪者リスト内に録画情報があれば、来訪者リストがあると判定され、録画情報がなければ、来訪者リストがないと判定される。
【０１０２】
上記ステップＳ４０６において来訪者リストがないと判定された場合、制御部３０８は、来訪者リストがない旨をテレビ２０１に通知する（ステップＳ４１３）。そして、制御部３０８は、上記ステップＳ４０１に戻る。
【０１０３】
上記ステップＳ４０６において来訪者リストがあると判定された場合、図１５に示すように、制御部３０８は、来訪者リストをテレビ２０１に送信する（ステップＳ４０７）。そして、制御部３０８は、システム制御部７０９からの来訪者リスト表示終了通知を受信したか否かを判定する（ステップＳ４０８）。ここで、来訪者リスト表示終了通知を受信すると、制御部３０８は、上記ステップＳ４０１に戻る。
【０１０４】
上記ステップＳ４０８において来訪者リスト表示終了通知を受信していないと判定された場合、制御部３０８は、システム制御部７０９からの録画データ消去指示を受信したか否かを判定する（ステップＳ４０７）。上記録画データ消去指示を受信した場合、制御部３０８は、上記録画データ消去指示により指示された録画情報及びそれに対応付けられている録画データをメモリ３０４から消去する（ステップＳ４０９）。そして、制御部３０８は、上記ステップＳ４０８に戻る。
【０１０５】
上記ステップＳ４０９において録画データ消去指示を受信したと判定された場合、制御部３０８は、システム制御部７０９からの録画データ送信指示を受信したか否かを判定する（ステップＳ４１１）。ここで、上記録画データ送信指示を受信した場合、制御部３０８は、上記録画データ送信指示により指示された録画データをメモリ３０４から読み出し、テレビ２０１に送信する（ステップＳ４１２）。そして、制御部３０８は、上記ステップＳ４０８に戻る。
【０１０６】
このように、本実施の形態によれば、居住者がリモコン２０４を操作してテレビ２０１の電源をオフすれば、インターホン装置のドアホン親機２０５に留守モードを設定することができる。即ち、非常に簡単な操作で留守モードを設定することができる。
【０１０７】
また、居住者がリモコン２０４を用いてテレビ２０１の電源をオンすると、ドアホン親機２０５から来訪者リストが送信されまたは来訪者リストなしが通知され、来訪者リストまたは来訪者リストなしを示すメッセージが表示部１０４に表示される。これにより、来訪者の録画データ（映像及び音声）の有無を確認することができる。また、来訪者の録画データがあれば、それを再生することができる。
【０１０８】
また、テレビ２０１の電源をオンすれば、留守モードが解除され、テレビ表示モードが設定される。このテレビ表示モードの設定によって、放送番組を視聴中に来訪者があると、放送番組を視聴しながら来訪者の映像を確認することが可能になる。
【図面の簡単な説明】
【０１０９】
【図１】本発明の第１の実施の形態に係るテレビジョン受像機を用いてインターホン装置で撮影された映像を録画、再生するシステムの構成を模式的に示す図である。
【図２】図１のＴＶの構成を示すブロック図である。
【図３】（ａ）はテレビ２０１の表示部１０４に放送画面とドアホン画面の２画面表示の一例を示す図である。（ｂ）はテレビ２０１の表示部１０４に表示されている放送画面に「来客がある」旨を示すメッセージを重畳した例を示す図である。
【図４】動作管理部１０８の処理の手順を示すフローチャートである。
【図５】動作管理部１０８の処理の手順を示すフローチャートである。
【図６】システム制御部１０９の処理の手順を示すフローチャートである。
【図７】システム制御部１０９の処理の手順を示すフローチャートである。
【図８】システム制御部１０９の処理の手順を示すフローチャートである。
【図９】（ａ）は来訪者リストの表示画面の一例を示す図、（ｂ）は来訪者リストがない場合の表示画面の一例を示す図である。
【図１０】本発明の第２の実施の形態に係るテレビジョン受像機の構成を示すブロック図である。
【図１１】図１０のテレビジョン受像機と接続されるインターホン装置のドアホン親機の主要部構成を示すブロック図である。
【図１２】システム制御部７０９の処理の手順を示すフローチャートである。
【図１３】システム制御部７０９の処理の手順を示すフローチャートである。
【図１４】ドアホン親機２０５の処理の手順を示すフローチャートである。
【図１５】ドアホン親機２０５の処理の手順を示すフローチャートである。
【符号の説明】
【０１１０】
１０１  チューナ部
１０２  放送デコーダ
１０３  表示処理部
１０４  表示部
１０５  音声処理部
１０６  スピーカ
１０７  フレームメモリ
１０８  動作管理部
１０９  システム制御部
１１０  外部入力部
１１６  ＡＶコーデック
１１７  ＨＤＤ
１１９  外部入力部
１２０  ドアホンデコーダ
２０１  テレビジョン受像機
２０４  リモコン
２０５  ドアホン親機
２０６  ドアホン子機
２０６ｃ  カメラ
２０７  接続ケーブル
【図１】
2009267785.tif 000003
【図２】
2009267785.tif 000004
【図３】
2009267785.tif 000005
【図４】
2009267785.tif 000006
【図５】
2009267785.tif 000007
【図６】
2009267785.tif 000008
【図７】
2009267785.tif 000009
【図８】
2009267785.tif 000010
【図９】
2009267785.tif 000011
【図１０】
2009267785.tif 000012
【図１１】
2009267785.tif 000013
【図１２】
2009267785.tif 000014
【図１３】
2009267785.tif 000015
【図１４】
2009267785.tif 000016
【図１５】
2009267785.tif 000017